(57)【要約】 【課題】  顧客のヘアスタイル写真を簡便に撮影できる美容院又は理容院の管理システムを提供する。【解決手段】  美容院又は理容院の顧客のヘアスタイル写真を撮影する撮影端末と、撮影されたヘアスタイル写真を撮影データとして保存するインターネット用のサーバと、インターネットを介してサーバにアクセス可能なインターネット端末を設ける。撮影端末がインターネットを介してサーバに接続される。撮影端末が、顧客に対応する顧客リストを表示する表示部を有する。表示された顧客リストの中から所望の１人の顧客リストを選択する。その後撮影端末により撮影された顧客のヘアスタイル写真が、インターネットを介してサーバに送信されて、選択された顧客の撮影データとして保存される。サーバに保存された撮影データが、インターネット端末によりインターネットを介して閲覧可能になっている。【選択図】  図１
2006172360.tif 000002
【特許請求の範囲】
【請求項１】
美容院又は理容院（３０）の多数の顧客の各々のヘアスタイル写真を撮影するための撮影端末（１８）と、撮影されたヘアスタイル写真を撮影データとして保存するためのインターネット（１６）用のサーバ（１２）と、インターネット（１６）を介してサーバ（１２）にアクセス可能であるインターネット端末（１４）とを備え、
撮影端末（１８）がインターネット（１６）を介してサーバ（１２）に接続可能になっており、
撮影端末（１８）が、多数の顧客からなる顧客リスト（４１）を表示するための表示部（１８ｃ）を有し、表示部（１８ｃ）に表示された顧客リスト（４１）の中から１人の顧客を選択しうるようになっており、
選択された顧客のヘアスタイル写真が撮影端末（１８）により撮影され、インターネット（１６）を介してサーバ（１２）に送信され、選択された顧客の撮影データとしてサーバ（１２）に保存され、
サーバ（１２）に保存された撮影データが、インターネット端末（１４）によりインターネット（１６）を介して閲覧可能に構成されている美容院又は理容院の管理システム。
【請求項２】
表示部（１８ｃ）に撮影ボタン（４３）が表示され、撮影ボタン（４３）が選択された顧客の撮影を開始するために使用されることを特徴とする請求項１に記載の美容院又は理容院の管理システム。
【請求項３】
撮影までの時間が表示部（１８ｃ）にカウントダウン表示されることを特徴とする請求項１又は２に記載の美容院又は理容院の管理システム。
【請求項４】
表示部（１８ｃ）に撮り直しボタン（４７）が表示され、撮り直しボタン（４７）がヘアスタイル写真を撮り直すために使用されることを特徴とする請求項１〜３のいずれか１項に記載の美容院又は理容院の管理システム。
【請求項５】
表示部（１８ｃ）にフレーム（４９）が表示され、フレーム（４９）がヘアスタイル写真と組み合わせて保存可能に構成されていることを特徴とする請求項１〜４のいずれか１項に記載の美容院又は理容院の管理システム。
【請求項６】
撮影端末（１８）が、撮影機（１８ｂ）と、撮影機（１８ｂ）を操作するための、撮影機（１８ｂ）とは別体の操作機（１８ａ）からなり、撮影機（１８ｂ）が操作機（１８ａ）を介してサーバ（１２）に接続されることを特徴とする請求項１〜５のいずれか１項に記載の美容院または理容院の管理システム。
【請求項７】
表示部（１８ｃ）にタッチパネルが設けられていて、表示部（１８ｃ）が顧客リスト（４１）の中から１人の顧客の名前をタッチして選択するために使用されることを特徴とする請求項１〜６のいずれか１項に記載の美容院又は理容院の管理システム。
【発明の詳細な説明】
【技術分野】
【０００１】
本発明は、美容院又は理容院の管理システムに関する。
【背景技術】
【０００２】
現在、美容院又は理容院においては、インターネットを利用した新たなサービスの提供が行われている。
【０００３】
例えば、本願出願人は、特許文献１において、美容院又は理容院で施術した既加入会員のヘアスタイルを、インターネットを通じて閲覧可能とした美容院又は理容院の管理システムを開示している。
【０００４】
この特許文献１によれば、既加入会員のヘアスタイルがデジタルカメラにより撮影され、その撮影データがンターネットのホームページ上で閲覧可能になっている。そのため、既加入会員が自己のヘアスタイルアルバムを見る楽しみを常に持つことができるようになっている。
【特許文献１】特開２００２−１４９８０５号公報
【発明の開示】
【発明が解決しようとする課題】
【０００５】
しかしながら、顧客のヘアスタイルの撮影は簡単な操作ではできなかったため、通例、美容院又は理容院のスタッフの手で撮影が行なわれていた。
【０００６】
他方、顧客は、自ら納得のいく内容の写真を撮影して保存したいという要望を持っていた。スタッフの撮影作業を必要とする場合、このような顧客の要望を充足させることは困難であった。
【０００７】
そこで本発明は、顧客のヘアスタイル写真を簡便に撮影できる美容院又は理容院の管理システムを提供することを目的としている。
【課題を解決するための手段】
【０００８】
本発明の解決手段を例示すると、以下のとおりである。
【０００９】
（１）  美容院又は理容院（３０）の多数の顧客の各々のヘアスタイル写真を撮影するための撮影端末（１８）と、撮影されたヘアスタイル写真を撮影データとして保存するためのインターネット（１６）用のサーバ（１２）と、インターネット（１６）を介してサーバ（１２）にアクセス可能であるインターネット端末（１４）とを備え、
撮影端末（１８）がインターネット（１６）を介してサーバ（１２）に接続可能になっており、
撮影端末（１８）が、多数の顧客からなる顧客リスト（４１）を表示するための表示部（１８ｃ）を有し、表示部（１８ｃ）に表示された顧客リスト（４１）の中から１人の顧客を選択しうるようになっており、
選択された顧客のヘアスタイル写真が撮影端末（１８）により撮影され、インターネット（１６）を介してサーバ（１２）に送信され、選択された顧客の撮影データとしてサーバ（１２）に保存され、
サーバ（１２）に保存された撮影データが、インターネット端末（１４）によりインターネット（１６）を介して閲覧可能に構成されている美容院又は理容院の管理システム。
【００１０】
（２）  表示部（１８ｃ）に撮影ボタン（４３）が表示され、撮影ボタン（４３）が選択された顧客の撮影を開始するために使用されることを特徴とする前述の美容院又は理容院の管理システム。
【００１１】
（３）  撮影までの時間が表示部（１８ｃ）にカウントダウン表示されることを特徴とする前述の美容院又は理容院の管理システム。
【００１２】
（４）  表示部（１８ｃ）に撮り直しボタン（４７）が表示され、撮り直しボタン（４７）がヘアスタイル写真を撮り直すために使用されることを特徴とする前述の美容院又は理容院の管理システム。
【００１３】
（５）  表示部（１８ｃ）にフレーム（４９）が表示され、フレーム（４９）がヘアスタイル写真と組み合わせて保存可能に構成されていることを特徴とする前述の美容院又は理容院の管理システム。
【００１４】
（６）  撮影端末（１８）が、撮影機（１８ｂ）と、撮影機（１８ｂ）を操作するための、撮影機（１８ｂ）とは別体の操作機（１８ａ）からなり、撮影機（１８ｂ）が操作機（１８ａ）を介してサーバ（１２）に接続されることを特徴とする前述の美容院または理容院の管理システム。
【００１５】
（７）  表示部（１８ｃ）にタッチパネルが設けられていて、表示部（１８ｃ）が顧客リスト（４１）の中から１人の顧客の名前をタッチして選択するために使用されることを特徴とする前述の美容院又は理容院の管理システム。
【発明の効果】
【００１６】
本発明によれば、顧客のヘアスタイル写真を簡便に撮影できる。とくに、撮影端末がインターネットを介してサーバに接続されるとともに顧客リストの中から１人の顧客を選択するために使用されると、顧客は自ら１人の顧客を選択して写真を自ら撮影できる。この場合、スタッフは撮影に関する諸手続を行う必要がない。これにより、スタッフの撮影作業を不要にして、美容院又は理容院全体の作業効率を向上させることができる。つまり、顧客の利便性を向上させることができ、さらにスタッフ及び美容院又は理容院全体の作業効率を向上させることができるのである。
【００１７】
表示部に撮影ボタンが表示され、撮影ボタンが顧客の撮影を開始するために使用される構成にすれば、顧客は、自ら撮影ボタンを使用して、簡単に撮影を開始することができる。
【００１８】
撮影ボタンの操作から撮影までの時間が表示部にカウントダウン表示される構成にすれば、顧客は、撮影までの時間を予測できるので、自分の好きな写真の撮影を行うことができる。
【００１９】
表示部に撮り直しボタンが表示され、撮り直しボタンがヘアスタイル写真を撮り直すために使用される構成にすれば、顧客自身が納得いくまで何度も撮り直して自分の好みの写真を撮ることができ、納得のいくヘアスタイル写真を保存することができる。
【００２０】
表示部にフレームが表示されて、フレームがヘアスタイル写真と組み合わせて保存可能に構成されていると、撮影データを加工して、より満足のいく写真を保存することができる。
【００２１】
撮影端末が、撮影機と、撮影機を操作するための、撮影機とは別体の操作機からなり、撮影機が操作機を介してサーバに接続されている構成にすれば、撮影機で撮影された顧客のヘアスタイル写真がサーバに直接送信されるため、撮影作業がより簡便になる。
【００２２】
表示部にタッチパネルが設けられて、表示部が所望の顧客リストをタッチして選択するために使用される構成にすれば、顧客は自己の写真撮影を容易に行うことができる。
【発明を実施するための最良の形態】
【００２３】
本発明の最良の形態による美容院又は理容院の管理システムは、美容院又は理容院の多数の顧客の各々のヘアスタイル写真を撮影するための撮影端末と、撮影されたヘアスタイル写真を各顧客毎に撮影データとして保存するためのインターネット用のサーバと、インターネットを介してサーバにアクセス可能なインターネット端末とを有する。撮影端末がインターネットを介してサーバに接続される。撮影端末が、顧客リストを表示するための表示部を有する。撮影端末が、表示された顧客リストの中から所望の顧客を選択するために使用される。撮影端末により撮影された選択顧客のヘアスタイル写真が、インターネットを介してサーバに送信されて、選択された顧客のための撮影データとして保存される。サーバに保存された各顧客の撮影データが、インターネット端末によりインターネットを介して閲覧可能に構成されている。
【００２４】
好ましくは、表示部に撮影ボタンが表示される。撮影ボタンが顧客の撮影を開始するために使用される。
【００２５】
撮影ボタンを操作してから撮影までの時間が表示部にカウントダウン表示される構成が好ましい。
【００２６】
さらに、表示部に撮り直しボタンが表示されて、撮り直しボタンがヘアスタイル写真を撮り直すために使用されるようにするのが好ましい。
【００２７】
表示部にフレームが表示されて、フレームがヘアスタイル写真と組み合わせて保存可能に構成されているのが好ましい。
【００２８】
撮影端末が、撮影機と、撮影機を操作するために、そことは別体の操作機からなり、撮影機が操作機を介してサーバに接続されているのが好ましい。とくに、顧客自身が操作機を用いて撮影機を操作することにより自己のヘアスタイル写真を自ら撮影する構成が好ましい。
【００２９】
表示部にタッチパネルが設けられて、表示部が所望の顧客リストをタッチして選択するために使用される構成が好ましい。
【００３０】
撮影端末は、後述の実施例のように、パソコンを介してインターネットに接続される構成が好ましいが、直接インターネットに接続しても良い。接続は無線又は有線とすることができる。
【００３１】
ヘアスタイル写真は任意の２枚の写真とするのが好ましい。なお、写真は正面写真１枚や側面写真と背面写真等の組み合わせによる３枚以上の写真とすることもできる。
【００３２】
サーバは、特定の管理会社に置くのが好ましいが、美容院又は理容院（店舗側）に置いてもよい。
【００３３】
インターネット端末は、後述の実施例では携帯電話として示されているが、パソコンや移動体通信装置、その他の情報端末であってもよい。
【００３４】
後述の実施例においては、撮影機はインターネット用のウェブカメラで構成され、操作機は表示部を有するパソコン等のコンピュータで構成されている。操作機は、後述の実施例のように、タッチパネル式で操作される構成が好ましいが、本発明は操作機がマウス又はキーボードで操作される構成をも含むものである。
【００３５】
本発明においてフレームは、ヘアスタイル写真の周囲を囲む枠の他、ヘアスタイル写真の背景に表示される画像を含む。
【００３６】
顧客リストは、顧客の氏名で構成されるのが好ましい。なお、顧客の氏名の代りに、希望するニックネーム、会員番号、撮影データ等を顧客リストとして表示することも可能である。
【実施例】
【００３７】
以下、図面を参照して本発明の実施例を説明する。
【００３８】
図１は、本発明における美容院又は理容院の管理システムをとくに美容院の管理システム１０に適用した例を示す。なお、美容院の管理システム１０は、基本的に理容院の管理システムとしても利用可能である。
【００３９】
美容院の管理システム１０は、インターネット用のサーバとしての情報提供サーバ１２と、インターネット端末としての携帯電話１４を有する。
【００４０】
情報提供サーバ１２は、選択された顧客の、撮影されたヘアスタイル写真を撮影データとして保存するためのインターネット１６用のサーバであり、特定の管理会社に置かれている。情報提供サーバ１２には、撮影データの他、店舗紹介、スタッフ紹介、新作ヘアー、施術記録等の情報が保存されている。
【００４１】
撮影データは、任意のアングルの２枚のヘアスタイルを撮影した写真のデータからなる。撮影データは、過去に処理したヘアスタイルの写真として、アルバム形式でインターネット１６を介して閲覧可能になっている。
【００４２】
なお、図１においては、撮影データのやり取りを分かり易くするため、情報提供サーバ１２はインターネット１６のネットワーク内に置かれている。
【００４３】
携帯電話１４は、インターネット１６を介して情報提供サーバ１２にアクセス可能である。情報提供サーバ１２は、携帯電話１４からアクセスされた場合に、選択された顧客の撮影データ等を携帯電話１４に表示させるようになっている。
【００４４】
美容院３０には、図示省略されたパソコンが設置されている。パソコンはインターネット１６を介して情報提供サーバ１２に接続されていて、このパソコンで顧客の情報の閲覧や予約情報の受信等が行うことが可能である。
【００４５】
美容院の管理システム１０は、さらに、多数の顧客の各々のヘアスタイル写真を各人が撮影できる撮影端末１８を有する。
【００４６】
撮影端末１８は、撮影機１８ｂと、撮影機１８ｂを操作するための別体の操作機１８ａからなる。
【００４７】
操作機１８ａは、顧客リストとして多数の顧客の氏名４１を表示するための表示部１８ｃを備えたコンピュータとして構成され、無線により美容院３０内のパソコンに接続されている。撮影端末１８は、表示された顧客リスト４１の氏名の中から所望の１人の顧客の氏名を選択するために使用される。操作機１８ａが無線により美容院３０内のパソコンに接続されているので、電源さえ確保できれば、レセプション領域、カウンセリング領域等、店内で無線電波に問題ない場所なら何処でも設置可能である。
【００４８】
撮影機１８ｂは、メカニカルパン及びティルトを搭載したインターネット用ウェブカメラで構成され、操作機１８ａを介してサーバ１２に接続されている。撮影機１８ｂは、オートフォーカス機能を有していて高画質の撮影が可能である。
【００４９】
表示部１８ｃには、タッチパネルが設けられている。表示部１８ｃは、所望の１人の顧客の氏名（自分の氏名）をタッチして選択するために使用される。表示された顧客リスト４１の中から１人の氏名（自分の名前）がタッチされて選択されることで、選択される顧客の撮影が行われるようになっている。
【００５０】
次に、図２〜７を参照して、各顧客が自己のヘアスタイル写真を自分で閲覧する場合の流れを説明する。
【００５１】
図２は、顧客リストから１人の顧客を選択するための画面の一例を示す。
【００５２】
美容院で特定の顧客の受付が行われると、操作機１８ａの表示部１８ｃに、多数の顧客の氏名４１がリストアップされた顧客リスト選択画面４０が表示される。各顧客は、顧客リスト選択画面４０の中から自己の氏名を選択してタッチパネルを押圧する。
【００５３】
図３は、撮影画面の一例を示す。
【００５４】
顧客が自己の氏名を選択すると、撮影画面４２が表示される。撮影画面４２に撮影ボタン４３が表示される。撮影ボタン４３は顧客の撮影を開始するために使用される。顧客は、写真のアングルを見ながら、撮影画面４２内の撮影ボタン４３を押す。
【００５５】
図４は、時間カウント画面の一例を示す。
【００５６】
撮影ボタン４３を押すと、時間カウント画面４４が表示される。時間カウント画面４４は、撮影ボタン４３を押してから撮影までの時間をカウントダウン表示するための画面である。図示された画面変遷と共に撮影までの時間がカウントされた後、所定のタイミングで顧客のヘアスタイル写真の撮影が行なわれる。
【００５７】
図５は、撮影画面の一例を示す。
【００５８】
１枚目の写真撮影が終了すると、撮影画面４６が表示される。１枚目の写真は、撮影画面４６下の左側に表示される。
【００５９】
撮影画面４６には、撮り直しボタン４７が表示されている。撮り直しボタン４７は、必要に応じてヘアスタイル写真を撮り直すために使用される。先の撮影ボタン４３は、撮り直しボタン４７に変更されている。顧客は、撮り直しボタン４７をタッチして選択することにより、写真が気に入るまで（納得いくまで）何回でも撮り直しをすることができるようになっている。
【００６０】
図６は、写真加工画面の一例を示す。
【００６１】
写真撮影後、図５の背景のボタンを押すと、図６に示される写真加工画面４８になる。写真加工画面４８にフレーム４９が表示されていて、フレーム４９がヘアスタイル写真と組み合わせて保存可能に構成されている。加工する写真を選んでから、所望のフレーム４９を選択する。所望のフレーム４９を選択した後、オーケーボタンを押す。
【００６２】
図７は、撮影完了画面の一例を示す。
【００６３】
オーケーボタンが押されると、撮影完了画面５０が表示される。撮影が全て完了したら、登録ボタン５１を押す。これにより、撮影された顧客のヘアスタイル写真は、インターネット１６を介して情報提供サーバ１２に送信されて撮影データとして保存される。
【００６４】
顧客が情報提供サーバ１２に保存されている撮影データを閲覧する際には、携帯電話１４等のインターネット端末からインターネット１６を介して情報提供サーバ１２にアクセスする。会員番号とパスワードを入力して会員（顧客）用アルバム閲覧画面を選択する（図示省略）。
【００６５】
図８には、アルバム閲覧画面から撮影データを閲覧するまで流れの一例が示されている。来店日選択画面２２において、閲覧したい写真データを撮影した日（来店日）を選択する。選択に応じた来店日の情報表示画面２４が表示され、スタイリスト名、施術内容、写真の情報等があわせて表示される。
【００６６】
保存された写真の１つを選択すると、写真表示画面２６において、その１つのヘアスタイル写真が表示される。
【００６７】
このようにして、顧客は、携帯電話１４等のインターネット端末を用いて、インターネット１６を介して情報提供サーバ１２に保存された撮影データを閲覧できるようになっている。
【００６８】
図９〜１４は、本発明による表示装置の種々の変形例を示す。
【００６９】
図９は、主に、先述の図２に示された構成で表示装置を構成した例を示す流れ図である。この場合、顧客が表示部に表示された顧客リストの中から１人の顧客（自分の氏名）を選択した後、すぐに撮影を開始することができる。
【００７０】
図１０は、主に、先述の図２及び図３に示された構成で表示装置を構成した例を示す流れ図である。この場合、顧客が表示部に表示された顧客リストの中から１人の顧客（自分の氏名）を選択した後、撮影ボタンを選択して顧客の撮影を開始することができる。
【００７１】
図１１は、主に、先述の図２及び図４に示された構成で表示装置を構成した例を示す流れ図である。この場合、顧客が表示部に表示された顧客リストの中から自分の氏名を選択した後、撮影ボタンを押してから撮影までの時間をカウントダウン表示することができる。
【００７２】
図１２は、主に先述の図２及び図５に示された構成で表示装置を構成した例を示す流れ図である。この場合、顧客が表示部に表示された顧客リストの中から自分の氏名を選択して撮影が行われた後、ヘアスタイル写真を撮り直すために撮り直しボタンを使用することができる。
【００７３】
図１３は、主に先述の図２及び図６に示された構成で表示装置を構成した例を示す流れ図である。この場合、顧客が表示部に表示された顧客リストの中から自分の氏名を選択して撮影が行われた後、フレームを選択してヘアスタイル写真と組み合わせてサーバに保存することができる。
【００７４】
図１４は、主に先述の図９〜１３に示された構成で表示装置を構成した例を示す流れ図である。顧客は、顧客リストの中から自分の氏名を選択して撮影ボタンを選択する。カウントダウン表示の後、ヘアスタイル写真が撮影される。希望するときは写真を撮り直すことができる。フレームを選択した後、登録を行う。
【００７５】
なお、フレームを選択した後にヘアスタイル写真の撮り直しを行えるようにしても良いし、複数の撮影データを登録（保存）できるようにしてもよい。
【００７６】
本発明は図示された実施例に限定されない。画面の表示内容は任意である。
【図面の簡単な説明】
【００７７】
【図１】本発明による管理システムを美容院の管理システムに適用した例を示す。
【図２】顧客リスト選択画面の一例を示す。
【図３】撮影画面の一例を示す。
【図４】時間カウント画面の一例を示す。
【図５】撮影画面の一例を示す。
【図６】写真加工画面の一例を示す。
【図７】撮影完了画面の一例を示す。
【図８】撮影データを閲覧するまでの流れの一例を示す。
【図９】図２に示された構成で表示装置を構成した例を示す流れ図である。
【図１０】図２及び図３に示された構成で表示装置を構成した例を示す流れ図である。
【図１１】図２及び図４に示された構成で表示装置を構成した例を示す流れ図である。
【図１２】図２及び図５に示された構成で表示装置を構成した例を示す流れ図である。
【図１３】図２及び図６に示された構成で表示装置を構成した例を示す流れ図である。
【図１４】図９〜１３に示された構成で表示装置を構成した例を示す流れ図である。
【符号の説明】
【００７８】
１０  美容院の管理システム
１２  情報提供サーバ（インターネット用のサーバ）
１４  携帯電話（インターネット端末）
１６  インターネット
１８  撮影端末
１８ａ  操作機
１８ｂ  撮影機
１８ｃ  表示部
２２  来店日選択画面
２４  情報表示画面
２６  写真表示画面
３０  美容院
４０  顧客リスト選択画面
４１  多数の顧客の氏名からなる顧客リスト
４２、４６  撮影画面
４３  撮影ボタン
４４  時間カウント画面
４７  撮り直しボタン
４８  写真加工画面
４９  フレーム
５０  撮影完了画面
５１  登録ボタン
【図９】
2006172360.tif 000003
【図１０】
2006172360.tif 000004
【図１１】
2006172360.tif 000005
【図１２】
2006172360.tif 000006
【図１３】
2006172360.tif 000007
【図１４】
2006172360.tif 000008
【図１】
2006172360.tif 000009
【図２】
2006172360.tif 000010
【図３】
2006172360.tif 000011
【図４】
2006172360.tif 000012
【図５】
2006172360.tif 000013
【図６】
2006172360.tif 000014
【図７】
2006172360.tif 000015
【図８】
2006172360.tif 000016